(57)【要約】【課題】  吊り紐で使用者の肩に吊り下げて使用できるゴミ袋開口吊具を提供する。【解決手段】  ゴミ袋１０は常用のポリエチレンからなる。枠体１１は、曲折可能な硬さのプラスチックからなる帯状部材で、その両端部の上下対向する縁に切欠き１１ａがそれぞれ形成され、帯状部材の対向する側面に上下２箇所の穴１１ｂが形成されている。吊り紐１２はポリエステル等で構成された常用の紐からなる。挟み具１３は、硬質のプラスチックからなり、対向する挟み片１３ａに突起１３ｂ及び突起１３ｂと嵌合する嵌合穴１３ｃがそれぞれ形成され、挟み片１３ａの上部に吊り紐１２の通し穴１３ｄが形成されている。【選択図】          図１
0003116030.tif 000002
【実用新案登録請求の範囲】
【請求項１】
ゴミ袋の口縁を開口させた状態で所定場所に吊り下げるゴミ袋開口吊具であって、ゴミ袋の開口させた口縁と同じ口径の環状の枠体に同枠体を所定場所に吊下する吊り紐を取り付け、枠体にゴミ袋の口縁を固定して口縁を開口状態に保持する固定手段を設けたことを特徴とする、ゴミ袋開口吊具。
【請求項２】
固定手段が、吊り紐の紐端に挟み具をそれぞれ取り付け、挟み具でゴミ袋の口縁を枠体に重ねた状態で挟持して固定できるようにしたものである、請求項１記載のゴミ袋開口吊具。
【請求項３】
枠体の対向する側面に通し穴を形成し、挟み具の対向する挟み片に突起及び同突起と嵌合する嵌合穴をそれぞれ形成し、挟み具の突起をゴミ袋の口縁に貫通させた後枠体の通し穴に挿通して嵌合穴に嵌合することで枠体にゴミ袋の口縁を固定するようにした、請求項２記載のゴミ袋開口吊具。
【請求項４】
枠体が、帯状部材の両端部の上下対向する縁部に切欠きをそれぞれ形成し、帯状部材を環状に曲折して切欠き同士を係合して構成したものである、請求項２又は３記載のゴミ袋開口吊具。
【請求項５】
固定手段が、枠体とゴミ袋の口縁とが接する対向面に嵌合用の凹凸を周部に渡って形成し、枠体とゴミ袋の口縁の凹凸を嵌合して枠体にゴミ袋の口縁を固定するようにしたものである、請求項１記載のゴミ袋開口吊具。
【請求項６】
固定手段が、枠体を外枠と内枠で構成し、外枠と内枠の対向する位置及びゴミ袋の口縁に連通できる通し穴をそれぞれ形成し、ゴミ袋の口縁を外枠と内枠で通し穴が連通するようにして挟持し、吊り紐の紐端をゴミ袋の口縁と外枠と内枠の各通し穴に挿通させて結紐して枠体にゴミ袋の口縁を固定するようにしたものである、請求項１記載のゴミ袋開口吊具。
【請求項７】
枠体が、帯状部材の両端部の対向する面に面ファスナーのフックとループ面をそれぞれ設け、帯状部材を環状に曲折して前記面ファスナーのフックとループ面を係合させて構成したものである、請求項６記載のゴミ袋開口吊具。
【請求項８】
ゴミ袋が口縁に取っ手を備えたものにおいて、固定手段が、枠体の対向する上縁位置にゴミ袋の取っ手を掛止する突起を形成し、ゴミ袋の取っ手を枠体の外側又は内側から突起に掛止して吊下するようにしたものである、請求項１記載のゴミ袋開口吊具。
【請求項９】
枠体が、平行四辺形状に変形して折り畳み及び展開できる構造のものである、請求項８記載のゴミ袋開口吊具。
【請求項１０】
展開した枠体の形状を保持するストッパを枠体の内側隅部に設けた、請求項９記載のゴミ袋開口吊具。
【請求項１１】
枠体の突起に吊り紐の通し穴を形成し、ゴミ袋の取っ手の掛止と吊り紐の結紐を兼用できるようにした、請求項８〜１０いずれか記載のゴミ袋開口吊具。
【請求項１２】
吊り紐の紐端にフックを取り付け、フックで吊り紐を枠体の突起の通し穴に取り外し可能に掛止できるようにした、請求項１１記載のゴミ袋開口吊具。
【考案の詳細な説明】
【技術分野】
【０００１】
本考案は、ゴミ袋の口縁をゴミが投入し易いように開口させた状態に保持して使用者の肩に吊り下げるゴミ袋開口吊具に関する。
【背景技術】
【０００２】
従来、ゴミ袋はポリエチレン等変形し易い軟質の素材で構成されており、例えばボランティア活動などで空き缶や空き瓶、ゴミを投入する際は口縁が変形してそのままでは使い難いものであった。そこで、ゴミ袋の口縁を開口状態に保持してゴミが投入し易いようにできる技術が特許文献１〜３に開示されている。これらの技術は、垂直の壁面にフックや吸盤を用いて取り付けるものである。本考案は、吊り紐を用いて使用者の肩に掛けて携帯しながらゴミの回収作業を行い易くできる技術を提供しようとするものである。
【特許文献１】特開２００２−１２３０１号公報
【特許文献２】実開平６−５３５０９号公報
【特許文献３】実用新案登録第３１０５２６４号公報
【考案の開示】
【考案が解決しようとする課題】
【０００３】
本考案が解決しようとする課題は、従来のこれらの問題点を解消し、吊り紐を用いて使用者の肩に掛けて携帯しながらゴミの回収作業を行い易くできるゴミ袋開口吊具を提供することにある。
【課題を解決するための手段】
【０００４】
かかる課題を解決した本考案の構成は、
１）  ゴミ袋の口縁を開口させた状態で所定場所に吊り下げるゴミ袋開口吊具であって、ゴミ袋の開口させた口縁と同じ口径の環状の枠体に同枠体を所定場所に吊下する吊り紐を取り付け、枠体にゴミ袋の口縁を固定して口縁を開口状態に保持する固定手段を設けたことを特徴とする、ゴミ袋開口吊具
２）  固定手段が、吊り紐の紐端に挟み具をそれぞれ取り付け、挟み具でゴミ袋の口縁を枠体に重ねた状態で挟持して固定できるようにしたものである、前記１）記載のゴミ袋開口吊具
３）  枠体の対向する側面に通し穴を形成し、挟み具の対向する挟み片に突起及び同突起と嵌合する嵌合穴をそれぞれ形成し、挟み具の突起をゴミ袋の口縁に貫通させた後枠体の通し穴に挿通して嵌合穴に嵌合することで枠体にゴミ袋の口縁を固定するようにした、前記２）記載のゴミ袋開口吊具
４）  枠体が、帯状部材の両端部の上下対向する縁部に切欠きをそれぞれ形成し、帯状部材を環状に曲折して切欠き同士を係合して構成したものである、前記２）又は３）記載のゴミ袋開口吊具
５）  固定手段が、枠体とゴミ袋の口縁とが接する対向面に嵌合用の凹凸を周部に渡って形成し、枠体とゴミ袋の口縁の凹凸を嵌合して枠体にゴミ袋の口縁を固定するようにしたものである、前記１）記載のゴミ袋開口吊具
６）  固定手段が、枠体を外枠と内枠で構成し、外枠と内枠の対向する位置及びゴミ袋の口縁に連通できる通し穴をそれぞれ形成し、ゴミ袋の口縁を外枠と内枠で通し穴が連通するようにして挟持し、吊り紐の紐端をゴミ袋の口縁と外枠と内枠の各通し穴に挿通させて結紐して枠体にゴミ袋の口縁を固定するようにしたものである、前記１）記載のゴミ袋開口吊具
７）  枠体が、帯状部材の両端部の対向する面に面ファスナーのフックとループ面をそれぞれ設け、帯状部材を環状に曲折して前記面ファスナーのフックとループ面を係合させて構成したものである、前記６）記載のゴミ袋開口吊具
８）  ゴミ袋が口縁に取っ手を備えたものにおいて、固定手段が、枠体の対向する上縁位置にゴミ袋の取っ手を掛止する突起を形成し、ゴミ袋の取っ手を枠体の外側又は内側から突起に掛止して吊下するようにしたものである、前記１）記載のゴミ袋開口吊具
９）  枠体が、平行四辺形状に変形して折り畳み及び展開できる構造のものである、前記８）記載のゴミ袋開口吊具
１０）  展開した枠体の形状を保持するストッパを枠体の内側隅部に設けた、前記９）記載のゴミ袋開口吊具
１１）  枠体の突起に吊り紐の通し穴を形成し、ゴミ袋の取っ手の掛止と吊り紐の結紐を兼用できるようにした、前記８）〜１０）いずれか記載のゴミ袋開口吊具
１２）  吊り紐の紐端にフックを取り付け、フックで吊り紐を枠体の突起の通し穴に取り外し可能に掛止できるようにした、前記１１）記載のゴミ袋開口吊具
にある。
【考案の効果】
【０００５】
本考案によれば、枠体でゴミ袋の口縁をゴミが投入し易いように開口させた状態を保持し、吊り紐を使用者の肩に掛けて携帯しながらゴミの回収作業が楽に行えるようになる。また、吊り紐を持って任意の場所に容易に持ち運ぶこともできる。
【考案を実施するための最良の形態】
【０００６】
本考案では、固定手段として吊り紐に取り付けた挟み具でゴミ袋の口縁を枠体に重ねた状態で挟持して固定するようにしたものでは、使用後にゴミ袋を下方へ引き降ろすだけで枠体から取り外すことができ、ゴミをこぼすことなく容易に廃棄処分できるようになる。また、固定手段として枠体とゴミ袋の口縁の対向面に形成した嵌合用の凹凸で全周に渡って固定するようにしたもの及びゴミ袋の口縁を外枠と内枠で挟持して固定するようにしたものでは、投入したゴミの重みや投入時の衝撃でもゴミ袋の口縁が変形することなく開口状態を確実に保持できるようになる。また、ゴミ袋が口縁に取っ手を備えたものにおいて、固定手段として枠体の対向する上縁に形成した突起にゴミ袋の取っ手を掛止して吊下するようにしたものでは、使用前の準備及び使用後の取り外しが容易となる。以下、本考案の各実施例を図面に基づいて具体的に説明する。
【実施例１】
【０００７】
図１，２に示す実施例１は、吊り紐の紐端に挟み具を取り付け、挟み具でゴミ袋の口縁を枠体に重ねた状態で挟持して固定するようにしたゴミ袋開口吊具の例である。図１は実施例１のゴミ袋開口吊具の使用状態を示す斜視図、図２は実施例１のゴミ袋開口吊具の分解斜視図である。図中、１０はゴミ袋、１１は枠体、１１ａは切欠き、１１ｂは通し穴、１２は吊り紐、１３は挟み具、１３ａは挟み片、１３ｂは突起、１３ｃは嵌合穴、１３ｄは通し穴である。
【０００８】
実施例１では、ゴミ袋１０は常用のポリエチレンからなる。枠体１１は、曲折可能な硬さのプラスチックからなる帯状部材で、その両端部の上下対向する縁部に切欠き１１ａがそれぞれ形成され、帯状部材の対向する側面に上下２箇所の通し穴１１ｂが形成されている。吊り紐１２はポリエステル等で構成された常用の紐からなる。挟み具１３は硬質のプラスチックからなり、対向する挟み片１３ａに突起１３ｂ及び突起１３ｂと嵌合する嵌合穴１３ｃがそれぞれ形成され、挟み片１３ａの上部に吊り紐１２の通し穴１３ｄが形成されている。
【０００９】
使用する際は、枠体１１の帯状部材を環状に曲折して切欠き１１ａ同士を上下方向から係合し、環状に形成した枠体１１の外側にゴミ袋１０の口縁を重ねるように配置し、枠体１１の通し穴１１ｂの位置で挟み具１３の突起１３ｂをゴミ袋１０の口縁に貫通させた後枠体１１の通し穴１１ｂに挿通させて嵌合穴１３ｃに嵌合し、挟み具１３でゴミ袋１０の口縁と枠体１１を挟持して固定し、挟み具１３の通し穴１３ｄに吊り紐１２の紐端を通して結紐する。
【００１０】
このようにして構成した開口吊具付きのゴミ袋１０を使用者の肩に吊り紐１２で引掛けて吊り下げて使用する。ゴミ袋１０の口縁は枠体１１で開口状態に保持されており、ゴミが投入し易く使い勝手に優れる。また、肩に掛けることで両手が自由に使え、作業が楽に行える。ゴミ袋１０を移動する際も吊り紐１２を持って任意の場所に手軽に持ち運びできる。満杯後はゴミ袋１０の下端部を把持して下方へ引き降ろすと、挟み具１３の突起１３ｂが貫通されたゴミ袋１０の口縁の部分が破断して枠体１１から外すことができ、使用後の廃棄処置もゴミがこぼれることなく極めて容易である。
【００１１】
なお、実施例１では枠体１１の切欠き１１ａは所定間隔に複数箇所形成し、係合位置を異ならせることで枠体１１の口径を変更し、ゴミ袋１０の口縁の様々な寸法に対応できるようにしてもよい。また、挟み具１３はバネ等の付勢力を利用（例えば洗濯ばさみのような形態のもの）してゴミ袋１０を貫通させることなく脱着自在に挟み止めるようにしてもよい。
【実施例２】
【００１２】
図３，４に示す実施例２は、枠体とゴミ袋の口縁とが接する対向面に係合用の凹凸を周部に渡って形成したゴミ袋開口吊具の例である。図３は実施例２のゴミ袋開口吊具の使用状態を示す斜視図、図４は実施例２のゴミ袋開口吊具の分解斜視図である。図中、２０はゴミ袋、２０ａは突起、２１は枠体、２１ａは結紐部、２１ｂは通し穴、２１ｃはフック、２２は吊り紐である。
【００１３】
実施例２では、ゴミ袋２０は常用のポリエチレンからなり、口縁の内面に先端を拡幅した突起２０ａが周部に渡って環状に形成されている。枠体２１は硬質のプラスチックで楕円状に形成され、対向する上縁を上方に延出して吊り紐２２の通し穴２１ｂを備えた結紐部２１ａが形成され、外面にはゴミ袋２０の突起２０ａと係合できるフック２１ｃが周部に渡って形成されている。
【００１４】
使用する際は、枠体２１の外側にゴミ袋２０の口縁を重ねるように配置して突起２０ａとフック２１ｃとを周部に渡って係合し、枠体２１の通し穴２１ｂに吊り紐２２の紐端を通して結紐し、使用者の肩に吊り紐２２で引掛けて吊り下げる。実施例２では、ゴミ袋２０の口縁が枠体２１に全周に渡って係合されているから、投入したゴミの重みや投入時の衝撃でもゴミ袋２０の口縁が変形することなく開口状態が確実に保持される。
【実施例３】
【００１５】
図５〜７に示す実施例３は、枠体を外枠と内枠で構成し、外枠と内枠の対向する位置及びゴミ袋の口縁に連通できる通し穴をそれぞれ形成し、ゴミ袋の口縁を外枠と内枠で挟持し、吊り紐の紐端をゴミ袋の口縁と外枠と内枠の各通し穴に挿通させて結紐して固定するようにしたゴミ袋開口吊具の例である。図５は実施例３のゴミ袋開口吊具の使用状態を示す斜視図、図６は実施例３の外枠と内枠の断面図、図７は実施例３のゴミ袋開口吊具の分解斜視図である。図中、３０はゴミ袋、３０ａは通し穴、３１は内枠、３１ａは通し穴、３１ｂはフック、３１ｃはループ面、３２は外枠、３２ａは通し穴、３３は吊り紐である。
【００１６】
実施例３では、ゴミ袋３０は常用のポリエチレンからなり、口縁の対向する位置に吊り紐３３の通し穴３０ａが２箇所ずつ形成されている。枠体は内枠３１と外枠３２で構成され、内枠３１は曲折可能な硬質のプラスチックからなる帯状部材で、その対向する位置に吊り紐３３の通し穴３１ａが形成され、両端部の対向する面に面ファスナーのフック３１ｂとループ面３１ｃがそれぞれ設けられ、外枠３２は硬質のプラスチックで環状に形成され、対向する位置に吊り紐３３の通し穴３２ａが前記通し穴３０ａ，３１ａと連通できるように形成されている。図６（ａ）は面ファスナーの部分の断面、図６（ｂ）は吊り紐３３の結紐部分の断面を示している。
【００１７】
使用する際は、ゴミ袋３０の口縁の外側に内枠３１を巻いて面ファスナーのフック３１ｂとループ面３１ｃを係合し、ゴミ袋３０の口縁を上方へ引いて内枠３１を覆うように内枠３１の外側へ折り返し、折り返したゴミ袋３０の口縁の外側に外枠３２を配置してゴミ袋３０と内枠３１と外枠３２の各通し穴３０ａ，３１ａ，３２ａが連通するように位置を合わせ、連通した各通し穴３０ａ，３１ａ，３２ａに吊り紐３３を通して結紐し、使用者の肩に吊り紐３３で引掛けて使用する。実施例３では、ゴミ袋３０の口縁が内枠３１と外枠３２で全周に渡って挟持されているから、実施例２と同じように投入したゴミの重みや投入時の衝撃でもゴミ袋３０の口縁が変形することなく使い易い。
【実施例４】
【００１８】
図８〜１０に示す実施例４は、ゴミ袋が口縁に取っ手を備えたものにおいて、枠体の対向する上縁位置にゴミ袋の取っ手を掛止する突起を形成し、ゴミ袋の取っ手を枠体の突起に掛止して吊下するようにしたゴミ袋開口吊具の例である。図８は実施例４のゴミ袋開口吊具の使用状態を示す斜視図、図９は実施例４のゴミ袋開口吊具の分解斜視図、図１０は実施例４の枠体の説明図である。図中、４０はゴミ袋、４０ａは取っ手、４１は枠体、４１ａは結紐部、４１ｂは通し穴、４１ｃはＶ字溝、４１ｄはストッパ、４１ｅは突起、４１ｆは嵌合穴、４２は吊り紐である。
【００１９】
実施例４では、ゴミ袋４０は常用のポリエチレンからなり、口縁に取っ手４０ａが形成されているもので、例えばスーパーで買い物に使用される商品袋である。枠体４１は矩形の硬質プラスチックからなり、対向する上縁を上方に延出して吊り紐４２の通し穴４１ｂを備えた結紐部４１ａが形成され、四隅の内側には枠体４１を平行四辺形状に変形させて折り畳みできるようにするＶ字溝４１ｃが縦方向に形成され、四隅の対向する内側位置に突起４１ｅを備えたストッパ４１ｄが折曲可能に設けられ、折曲したストッパ４１ｄの突起４１ｅを嵌合させる嵌合穴４１ｆが枠体４１の側面に形成されている。
【００２０】
使用する際は、枠体４１を折り畳み状態から矩形状に展開させ、ストッパ４１ｄを隅部の内側へ折曲させて突起４１ｅを嵌合穴４１ｆに嵌合して矩形を保持し、ゴミ袋４０の取っ手４０ａを枠体４１の内側を通して結紐部４１ａに掛止して口縁を開口させた状態で吊下し、枠体４１の通し穴４１ｂに吊り紐４２を結紐し、使用者の肩に吊り紐４２で引掛けて使用する。実施例４では、ゴミ袋４０の取っ手４０ａを掛止するだけで吊下でき、使用前の準備が容易である。
【００２１】
図１１に示すのは、実施例４のゴミ袋開口吊具の他の例である。図１１は実施例４の他の例のゴミ袋開口吊具の使用状態を示す斜視図である。図中、４３はフックである。図１１に示す実施例４の他の例では、吊り紐４２の紐端にフック４３を取り付け、枠体４１の通し穴４１ｂに取り外し可能に掛止できるようにしたものである。従って、ゴミ袋４０の取っ手４０ａを枠体４１の結紐部４１ａに掛止した後、吊り紐４２を枠体４１に短時間且つ容易に取り付けできるようになり、廃棄時もゴミ袋４０の取り外しが容易である。その他、符号、構成は実施例４と同じである。
【００２２】
図１２に示すのは、実施例４のゴミ袋開口吊具の他の例である。図１２は実施例４の他の例のゴミ袋開口吊具の使用状態を示す斜視図である。図中、４１ｇは掛止突起である。図１２に示す実施例４の他の例では、枠体４１の結紐部４１ａと隣接する対向位置の上縁を上方に延出してゴミ袋４０の取っ手４０ａを掛止する掛止突起４１ｇが形成されている。使用する際は、ゴミ袋４０の口縁を枠体４１の外側に配置させて取っ手４０ａを枠体４１の掛止突起４１ｇに掛止して吊下する。従って、吊り紐４２は予め枠体４１の通し穴４１ｂに結紐させておくことができ、使用前の準備がより短時間且つ容易に行え、吊り紐４２は取り外すことなく再利用できるようになる。その他、符号、構成は実施例４と同じである。
【産業上の利用可能性】
【００２３】
本考案のゴミ袋開口吊具は、ボランティア活動等におけるゴミの回収作業に有用である。
【図面の簡単な説明】
【００２４】
【図１】実施例１のゴミ袋開口吊具の使用状態を示す斜視図である。
【図２】実施例１のゴミ袋開口吊具の分解斜視図である。
【図３】実施例２のゴミ袋開口吊具の使用状態を示す斜視図である。
【図４】実施例２のゴミ袋開口吊具の分解斜視図である。
【図５】実施例３のゴミ袋開口吊具の使用状態を示す斜視図である。
【図６】実施例３の外枠と内枠の断面図である。
【図７】実施例３のゴミ袋開口吊具の分解斜視図である。
【図８】実施例４のゴミ袋開口吊具の使用状態を示す斜視図である。
【図９】実施例４のゴミ袋開口吊具の分解斜視図である。
【図１０】実施例４の枠体の説明図である。
【図１１】実施例４の他の例のゴミ袋開口吊具の使用状態を示す斜視図である。
【図１２】実施例４の他の例のゴミ袋開口吊具の使用状態を示す斜視図である。
【符号の説明】
【００２５】
１０  ゴミ袋
１１  枠体
１１ａ  切欠き
１１ｂ  通し穴
１２  吊り紐
１３  挟み具
１３ａ  挟み片
１３ｂ  突起
１３ｃ  嵌合穴
１３ｄ  通し穴
２０  ゴミ袋
２０ａ  突起
２１  枠体
２１ａ  結紐部
２１ｂ  通し穴
２１ｃ  フック
２２  吊り紐
３０  ゴミ袋
３０ａ  通し穴
３１  内枠
３１ａ  通し穴
３１ｂ  フック
３１ｃ  ループ面
３２  外枠
３２ａ  通し穴
３３  吊り紐
４０  ゴミ袋
４０ａ  取っ手
４１  枠体
４１ａ  結紐部
４１ｂ  通し穴
４１ｃ  Ｖ字溝
４１ｄ  ストッパ
４１ｅ  突起
４１ｆ  嵌合穴
４１ｇ  掛止突起
４２  吊り紐
４３  フック
【図１】
0003116030.tif 000003
【図２】
0003116030.tif 000004
【図３】
0003116030.tif 000005
【図４】
0003116030.tif 000006
【図５】
0003116030.tif 000007
【図６】
0003116030.tif 000008
【図７】
0003116030.tif 000009
【図８】
0003116030.tif 000010
【図９】
0003116030.tif 000011
【図１０】
0003116030.tif 000012
【図１１】
0003116030.tif 000013
【図１２】
0003116030.tif 000014